(57)【要約】【課題】  機密情報を表示した情報表示装置自体に簡略化可能な対策を施し、表示している機密情報の漏洩を防止する。【解決手段】  所定の情報に対応する内容を表示する表示パネル１０１と、表示パネル１０１による表示を制御する表示制御部１０７を有する情報表示装置において、外部端末より送出される信号を受信し、アンテナ１０２、増幅器１０３、帯域通過フィルタ１０４、検波器１０５、スイッチ１０６により構成され、当該信号の検出結果を出力する受信手段を有し、表示制御部１０７は前記検出結果により表示パネル１０１による表示を制御する。【選択図】  図２
2006171438.tif 000002
【特許請求の範囲】
【請求項１】
所定の情報に対応する内容を表示する表示手段と、
前記表示手段による表示を制御する表示制御手段を有する情報表示装置において、
外部端末より送出される信号を受信し、当該信号の検出結果を出力する受信手段を有し、
前記表示制御手段は前記検出結果により前記表示手段による表示を制御することを特徴とする情報表示装置。
【請求項２】
基地局より送出される信号と同等の信号である擬基地局信号を生成する擬基地局信号生成手段を有することを特徴とする請求項１に記載の情報表示装置。
【請求項３】
時刻を計時し、時刻信号を生成する計時手段を有し、
前記擬基地局信号生成手段は前記時刻信号に基づいて所定の時刻に前記擬基地局信号を生成することを特徴とする請求項２に記載の情報表示装置。
【請求項４】
所定の情報に対応する内容を表示する表示手段と、
前記表示手段による表示を制御する表示制御手段を有し、
情報処理装置と接続している情報表示装置において、
外部端末より送出される信号を受信し、当該信号の検出結果を出力する受信手段と、
前記検出結果を前記情報処理装置に送信する検出結果送信手段を有し、
前記表示制御手段は前記情報処理装置より受信する表示信号により前記表示手段による表示を制御することを特徴とする情報表示装置。
【請求項５】
前記検出結果を保持する検出結果保持手段と、
前記情報処理装置からの検出結果要求を受信する検出結果要求受信手段を有し、
前記検出結果送信手段は前記検出結果要求により前記検出結果保持手段が保持する検出結果を前記情報処理装置に送信することを特徴とする請求項４に記載の情報表示装置。
【請求項６】
基地局より送出される信号と同等の信号である擬基地局信号を生成する擬基地局信号生成手段を有することを特徴とする請求項４に記載の情報表示装置。
【請求項７】
時刻を計時し、時刻信号を生成する計時手段を有し、
前記擬基地局信号生成手段は前記時刻信号に基づいて所定の時刻に前記擬基地局信号を生成することを特徴とする請求項６に記載の情報表示装置。
【請求項８】
前記情報処理装置からの検出結果要求を受信する検出結果要求受信手段を有し、
前記擬基地局信号生成手段は前記検出結果要求により前記擬基地局信号を生成することを特徴とする請求項６に記載の情報表示装置。
【請求項９】
外部端末より送出される信号を受信し、当該信号の検出結果を出力する情報表示装置と接続している情報処理装置に内蔵される表示デバイスにおいて、
前記検出結果を受信する検出結果受信手段と、
前記検出結果により前記情報表示装置に送信する表示信号を制御する表示信号制御手段を有することを特徴とする表示デバイス。
【請求項１０】
所定の警告に係る信号である警告信号を生成する警告信号生成手段を有し、
前記表示信号制御手段は前記検出結果により前記警告信号を表示信号として制御することを特徴とする請求項９に記載の表示デバイス。
【請求項１１】
外部端末より送出される信号を受信し、当該信号の検出結果を出力する検出結果出力工程と、
前記検出結果により表示を制御する表示制御工程と、
前記表示制御工程における制御に基づいて表示する表示工程を有する情報表示装置における情報表示方法。
【請求項１２】
基地局より送出される信号と同等の信号である擬基地局信号を生成する擬基地局信号生成工程を前記検出結果出力工程の前段に有することを特徴とする請求項１１に記載の情報表示装置における情報表示方法。
【請求項１３】
情報処理装置が接続している情報表示装置における情報表示方法において、
前記情報表示装置にて外部端末より送出される信号を受信し、当該信号の検出結果を出力する検出結果出力工程と、
前記情報表示装置にて前記検出結果を前記情報処理装置に送信する検出結果送信工程と、
前記情報処理装置にて前記検出結果を受信する検出結果受信工程と、
前記情報処理装置にて前記検出結果により前記情報表示装置に送信する表示信号を制御する表示信号制御工程と、
前記情報表示装置にて前記表示信号により表示を制御する表示制御工程を有する情報表示装置における情報表示方法。
【請求項１４】
前記情報処理装置にて検出結果を要求する検出結果要求工程を前記検出結果出力工程の前段に有することを特徴とする請求項１３に記載の情報表示装置における情報表示方法。
【請求項１５】
前記情報表示装置にて基地局より送出される信号と同等の信号である擬基地局信号を生成する擬基地局信号生成工程を前記検出結果出力工程の前段に有することを特徴とする請求項１３に記載の情報表示装置における情報表示方法。
【請求項１６】
情報表示装置のコンピュータに、
外部端末より送出される信号を受信し、当該信号の検出結果を出力する受信手段と、
前記検出結果により表示を制御する表示制御手段と、
前記表示制御手段における制御に基づいて表示する表示手段として機能させることを特徴とする情報表示プログラム。
【請求項１７】
コンピュータに、
外部端末より送出される信号を受信し、当該信号の検出結果を出力する情報表示装置の受信手段と、
前記検出結果により前記情報表示装置に送信する表示信号を制御する情報処理装置の表示信号制御手段と、
前記表示信号により表示を制御する前記情報表示装置の表示制御手段と、
前記表示制御手段における制御に基づいて表示する前記情報表示装置の表示手段として機能させることを特徴とする情報表示プログラム。
【請求項１８】
請求項１６または１７に記載の情報表示プログラムを記録した、コンピュータが読み取り可能である記録媒体。
【発明の詳細な説明】
【技術分野】
【０００１】
本発明は、表示している機密情報の漏洩を防止する情報表示装置、表示デバイス、情報表示方法、情報表示プログラム、記録媒体に関する。
【背景技術】
【０００２】
コンピュータのディスプレイ上に機密情報を表示するにあたり、最近の問題としては、カメラ機能付きの携帯端末を利用し、機密情報を撮像するなどといった情報漏洩がある。情報漏洩に関する企業側の対策としては、デジタルカメラや携帯電話などを検出する監視システムを導入する方法、デジタルカメラや携帯電話などの持ち込み自体を禁止する持ち物検査が一般的である。勿論、建屋自体を監視できるような場合は上記対策で大きな問題にはならない。しかし、雑居ビルの場合で上記対策を実行するには、前記監視システムは大掛かり過ぎる。営業所のような人間の出入りが多いような場所の場合には、持ち物検査に関する一連の手続は煩雑すぎる。このような事情から上記対策は必ずしも有効なものとなり得ない。
【０００３】
そこで、ディスプレイの表示自体に対策を施すことが考えられる。たとえば、専用のメガネをかけないと表示内容が見えない表示装置などがある。この表示装置を利用すれば、専用のメガネを所持しているユーザでしか表示装置に表示した情報を見ることはできないため、情報の漏洩を防ぐことができる。しかし、表示装置の表示パネルおよびメガネ自体を特殊なものにする必要がある。特に、漏洩の心配がない複数のユーザと共同で作業する場合などは、その人数分のメガネを用意する必要がある。また、上記表示装置を利用しても、例えば机に専用のメガネが放置されていたとすれば、それを通して撮影したり、または通信端末を利用して外部へ情報を漏洩するといったことが可能となってしまい、メガネ自体を管理する煩雑さが生じる。さらに、ユーザ毎に表示を制御する方法も考えられるが、組み合わせが複雑になり、セキュリティ確保と情報活用とのバランスがとりづらい。
【０００４】
一方、カメラやハードコピーなどで大量に正確な情報が漏洩することは困るが、ディスプレイ上の画面を人間が読み取って記憶する程度ではそれほど困らないような場合も多い。このような場合に上記表示装置を利用することは、情報漏洩の防止という利点よりも情報活用を広く行うことができないといった欠点の方が大きくなる。
【０００５】
なお、特許文献１では、携帯電話の使用を禁止するための方法が開示されている。この方法では、静かにすべき公共の場所で着信音や話し声といった音が聞こえないように、事前に携帯電話の電波を捉え、当該携帯電話の電波を検出し、所定の音声を送出することにより注意を促すようにしている。
【特許文献１】特開平１１−０９８５６４号公報
【発明の開示】
【発明が解決しようとする課題】
【０００６】
特許文献１に記載された技術内容の目的は本発明のそれとは相違するものの、この技術内容の一部を情報漏洩防止といった目的に転用することは可能と考える。つまり、建物内部で携帯電話の電波を捉えることにより携帯電話を検出し、所定の警告を通知し、情報の漏洩を図るといった方法である。しかし、特許文献１の方法を用いてもディスプレイの表示自体つまり表示された機密情報自体に対策を施すわけではないため、情報漏洩防止としては不十分であると考える。
【０００７】
上記事情を鑑みて、本発明が解決しようとする課題は、機密情報を表示した情報表示装置自体に簡略化可能な対策を施し、表示している機密情報の漏洩を防止することにある。
【課題を解決するための手段】
【０００８】
上記課題を解決するための本発明の態様は、所定の情報に対応する内容を表示する表示手段と、前記表示手段による表示を制御する表示制御手段を有する情報表示装置において、外部端末より送出される信号を受信し、当該信号の検出結果を出力する受信手段を有し、前記表示制御手段は前記検出結果により前記表示手段による表示を制御するものである。
【０００９】
この態様において、基地局より送出される信号と同等の信号である擬基地局信号を生成する擬基地局信号生成手段を有し、さらに、時刻を計時し、時刻信号を生成する計時手段を有し、前記擬基地局信号生成手段は前記時刻信号に基づいて所定の時刻に前記擬基地局信号を生成することを特徴とする。
【００１０】
本発明の他の態様は、所定の情報に対応する内容を表示する表示手段と、前記表示手段による表示を制御する表示制御手段を有し、情報処理装置と接続している情報表示装置において、外部端末より送出される信号を受信し、当該信号の検出結果を出力する受信手段と、前記検出結果を前記情報処理装置に送信する検出結果送信手段を有し、前記表示制御手段は前記情報処理装置より受信する表示信号により前記表示手段による表示を制御するものである。
【００１１】
この態様において、前記検出結果を保持する検出結果保持手段と、前記情報処理装置からの検出結果要求を受信する検出結果要求受信手段を有し、前記検出結果送信手段は前記検出結果要求により前記検出結果保持手段が保持する検出結果を前記情報処理装置に送信することを特徴とする。
【００１２】
また、この態様において、基地局より送出される信号と同等の信号である擬基地局信号を生成する擬基地局信号生成手段を有し、さらに、時刻を計時し、時刻信号を生成する計時手段を有し、前記擬基地局信号生成手段は前記時刻信号に基づいて所定の時刻に前記擬基地局信号を生成することを特徴とする。
【００１３】
また、この態様において、基地局より送出される信号と同等の信号である擬基地局信号を生成する擬基地局信号生成手段を有し、さらに、前記情報処理装置からの検出結果要求を受信する検出結果要求受信手段を有し、前記擬基地局信号生成手段は前記検出結果要求により前記擬基地局信号を生成することを特徴とする。
【００１４】
また、本発明の他の態様は、外部端末より送出される信号を受信し、当該信号の検出結果を出力する情報表示装置と接続している情報処理装置に内蔵される表示デバイスにおいて、前記検出結果を受信する検出結果受信手段と、前記検出結果により前記情報表示装置に送信する表示信号を制御する表示信号制御手段を有するものである。
【００１５】
この態様において、所定の警告に係る信号である警告信号を生成する警告信号生成手段を有し、前記表示信号制御手段は前記検出結果により前記警告信号を表示信号として制御することを特徴とする。
【００１６】
また、本発明の他の態様は、外部端末より送出される信号を受信し、当該信号の検出結果を出力する検出結果出力工程と、前記検出結果により表示を制御する表示制御工程と、前記表示制御工程における制御に基づいて表示する表示工程を有する情報表示装置における情報表示方法に関するものである。
【００１７】
この態様において、基地局より送出される信号と同等の信号である擬基地局信号を生成する擬基地局信号生成工程を前記検出結果出力工程の前段に有することを特徴とする。
【００１８】
また、本発明の他の態様は、情報処理装置が接続している情報表示装置における情報表示方法において、前記情報表示装置にて外部端末より送出される信号を受信し、当該信号の検出結果を出力する検出結果出力工程と、前記情報表示装置にて前記検出結果を前記情報処理装置に送信する検出結果送信工程と、前記情報処理装置にて前記検出結果を受信する検出結果受信工程と、前記情報処理装置にて前記検出結果により前記情報表示装置に送信する表示信号を制御する表示信号制御工程と、前記情報表示装置にて前記表示信号により表示を制御する表示制御工程を有するものである。
【００１９】
この態様において、前記情報処理装置にて検出結果を要求する検出結果要求工程を前記検出結果出力工程の前段に有することを特徴とする。
【００２０】
また、この態様において、前記情報表示装置にて基地局より送出される信号と同等の信号である擬基地局信号を生成する擬基地局信号生成工程を前記検出結果出力工程の前段に有することを特徴とする。
【００２１】
また、本発明の他の態様は、情報表示装置のコンピュータに、外部端末より送出される信号を受信し、当該信号の検出結果を出力する受信手段と、前記検出結果により表示を制御する表示制御手段と、前記表示制御手段における制御に基づいて表示する表示手段として機能させることを特徴とする情報表示プログラムに関するものである。
【００２２】
また、本発明の他の態様は、コンピュータに、外部端末より送出される信号を受信し、当該信号の検出結果を出力する情報表示装置の受信手段と、前記検出結果により前記情報表示装置に送信する表示信号を制御する情報処理装置の表示信号制御手段と、前記表示信号により表示を制御する前記情報表示装置の表示制御手段と、前記表示制御手段における制御に基づいて表示する前記情報表示装置の表示手段として機能させることを特徴とする情報表示プログラムに関するものである。
【００２３】
また、本発明の他の態様は、上記情報表示プログラムを記録した、コンピュータが読み取り可能である記録媒体に関するものである。
【発明の効果】
【００２４】
本発明により、機密情報を表示した情報表示装置自体に簡略化可能な対策を施し、表示している機密情報の漏洩を防止することができる。
【発明を実施するための最良の形態】
【００２５】
以下、本発明の情報表示装置等を実施するための最良の形態を説明する。説明の際には本明細書と同時に提出する図面を適宜参照することにする。
【００２６】
図１は、本形態の全体図である。情報表示装置であるディスプレイ１と、情報処理装置であるＰＣ２と、外部端末である撮像機能を搭載した携帯電話３と、ディスプレイ１とＰＣ２を接続するケーブル４が図示されている。
【００２７】
ディスプレイ１は、ＰＣ２が管理する表示情報（画像に係る情報、文字に係る情報その他の視覚的に表示する情報をいう。）に対応する内容を表示する装置である。所定の電圧が加わると構造が変化することにより機密情報などの内容を表示し得る液晶構造を有する表示パネル１０１と、外部電波の受信または特定電波の送信を中継するアンテナ１０２を有して構成されている。アンテナ１０２が携帯電話３より送出される電波を受信すると、表示パネル１０１が当該受信に応じた表示を行う。
【００２８】
この表示としては、一切の表示情報を受け付けず何も表さない表示でも良いし、ディスプレイ１に近づいた人に携帯電話３の電源を切るように警告する旨の表示でも良い。このような表示の切り替えは、ＰＣ２の制御の下で行う形態でも良いが、ディスプレイ１自身がＰＣ２の制御とは無関係に電波を受信したときの表示の制御を行う簡略化した形態でも良い。
【００２９】
また、アンテナ１０２が受信する携帯電話３の電波としては、携帯電話３が基地局に対し送信する制御に係る電波でも良い。また、相手方の携帯電話と通話するときに送出される通話用のチャネルに係る電波でも良い。また、携帯電話３の位置の識別に係る電波（詳しくは特許文献１を参照されたい。）でも良い。携帯電話３の存在を確認できれば十分だからである。
【００３０】
ＰＣ２は、記録媒体としてのＲＯＭ(Read Only Memory)と、ＲＯＭに記録されているプログラムに基づいて制御を行うＣＰＵ(Central Processing Unit)を有して構成されている。前記プログラムには、ディスプレイ１による表示を制御するためのプログラムも含まれている。
【００３１】
ケーブル４はＰＣ２に搭載されているディプレイカードとディスプレイ１とを接続するディスプレイケーブルでも良いし、他にシリアルケーブル、ＵＳＢケーブルといった標準的な規格にあったケーブルでも良い。
【００３２】
先述したようにディスプレイ１自身が表示内容の制御を行うことができる。図２にその制御を実現するためのディスプレイ１の構成ブロック図を示す。このディスプレイ１は先述した表示パネル１０１・アンテナ１０２の他に、増幅器１０３、帯域通過フィルタ１０４、検波器１０５、スイッチ１０６、表示制御部１０７、表示信号入力部１０８を有して構成されている。
【００３３】
ここで、アンテナ１０２、増幅器１０３、帯域通過フィルタ１０４、検波器１０５、スイッチ１０６により上述した受信手段が構成される。アンテナ１０２が携帯電話３より送出される電波を受信し、増幅器１０３が当該電波を増幅し、当該電波のうち所望の周波数部分に係る信号を帯域通過フィルタ１０４により抽出し、検波器１０５がその抽出した信号に基づいて検出結果を出力する。スイッチ１０６は表示制御部１０７に表示信号を転送するか否かを切り替える機能を有する。切り替える際には検出結果を参照する。
【００３４】
表示制御部１０７は表示パネル１０１に表示される内容を制御する回路素子である。この制御は前記検出結果に基づいて行われる。表示信号入力部１０８は、ＰＣ２より受信した表示信号を受け付ける回路素子である。この表示信号はＰＣ２の制御の下、表示パネル１０１に表示される画像、文字などを表す情報である表示情報に所定のデータを付加して生成される信号である。詳しくは後述する。
【００３５】
以上の説明により携帯電話３の電波を受信した場合にスイッチ１０６が表示信号を遮断することにより、表示パネル１０１には元々表示していた機密情報を隠蔽するような表示がなされる。これにより携帯電話３の撮像機能を利用しても機密情報を撮像することもできなくなり、情報の漏洩を防止することができる。
【００３６】
また、図３に上述の制御を実現するためのディスプレイ１の他の構成ブロック図を示す。図２と比べて擬基地局信号生成器１０９、スイッチ１１０、タイマー１１１が追加されている。
【００３７】
擬基地局信号生成器１０９は基地局より送出される信号と同等の信号である擬基地局信号を生成する回路素子である。スイッチ１１０による切り替えの下、擬基地局信号をアンテナ１０２より携帯電話３に送出することにより、携帯電話３が応答し、先述した位置の識別に係る電波などが携帯電話３より送出されアンテナ１０２が受信することにより携帯電話の存在を確認することができる。タイマー１１１は、時刻を計時し、時刻信号を生成する回路素子である。この時刻信号を擬基地局信号生成器１０９に送信する。すると、擬基地局信号生成器１０９は時刻信号に基づいて所定の時刻に擬基地局信号を生成することができる。これにより、一定時間ごとに擬基地局信号を送出し、定期的に携帯電話３の存在を確認することができ、よりいっそうの情報漏洩防止の強化に繋がる。
【００３８】
ディスプレイ１に表示された内容の制御は、ＰＣ２に搭載されたディスプレイカードがディスプレイ１と所定の信号を送受信する処理により実行される形態も考えられる。図４及び図５にその制御を実現するためのディスプレイ１の構成ブロック図を示す。また、図６にはディスプレイカード２００の構成ブロック図を示す。図４のディスプレイ１は先述した表示パネル１０１、アンテナ１０２、増幅器１０３、帯域通過フィルタ１０４、検波器１０５、表示制御部１０７、表示信号入力部１０８の他に、検出結果送信部１１２を有して構成されている。
【００３９】
検出結果送信部１１２は検波器１０５より出力された検出結果をディスプレイカード２００に送信する回路素子である。この制御において検出結果に基づく表示に関する制御はディスプレイカード２００が行う。そして、ディスプレイカード２００が行う制御の結果は表示信号としてディスプレイ１に送信されることになる。
【００４０】
また、図５に上述の制御を実現するためのディスプレイ１の他の構成ブロック図を示す。図４と比べて擬基地局信号生成器１０９、スイッチ１１０、タイマー１１１が追加されている。
【００４１】
図６のディスプレイカード２００は、検出結果受信部２０１、スイッチ２０２、表示情報入力部２０３、フレームメモリ２０４、表示信号制御部２０５、アラート情報生成部２０６を有して構成されている。
【００４２】
検出結果受信部２０１は検出結果送信部１１２が送信した検出結果を受信する回路素子である。スイッチ２０２は検出結果受信部２０１が受信した検出結果を参照して、フレームメモリ２０４に表示情報を出力するか否かを切り替える機能を有する。
【００４３】
ＰＣ２において入力された表示情報はディスプレイカード２００の表示情報入力部２０３に送信され、スイッチ２０２に切り替えの制御の下、フレームメモリ２０４に入力された後、表示信号として一時的に保存される。その後、表示信号制御部２０５がフレームメモリ２０４より表示信号を読み出し、当該表示信号をディスプレイ１の表示信号入力部１０８に送信する。
【００４４】
アラート情報生成部２０６は所定の警告に係る警告信号を生成し、当該警告信号をスイッチ２０２に送信する。スイッチ２０２は警告信号を出力する際にも検出結果を参照する。表示信号制御部２０５は検出結果により当該警告信号を表示信号として制御し、表示信号入力部１０８に送信する。
【００４５】
この形態においても、結果として表示パネル１０１には、表示信号に基づいて元々表示していた機密情報を隠蔽するような表示がなされる。これにより携帯電話３の撮像機能を利用しても機密情報を撮像することもできなくなり、情報の漏洩を防止することができる。また、図５のように回路素子が追加されたときの動作は図３を参照して説明したときの動作と同様であるため省略する。効果も同様であり、よりいっそうの情報漏洩防止の強化に繋がる。
【００４６】
ディスプレイ１に表示された内容の制御は、ＰＣ２において表示の制御機能を発揮する特定のアプリケーションを利用したＯＳ(Operating System)による制御も考えられ、かかる制御に基づく処理、つまりディスプレイ１が出力した検出結果に基づく処理が実行される形態を採り上げる。ＰＣ２が有するＲＯＭにはかかる処理を実行させるためのプログラム（以下、「アプリケーションプログラム」という。）が記録されている。図７及び図８にその制御を実現するためのディスプレイ１の構成ブロック図を示す。そして、図９においてＯＳによる制御に基づく処理をシーケンスチャートとして示す。
【００４７】
図７のディスプレイ１は先述した表示パネル１０１、アンテナ１０２、増幅器１０３、帯域通過フィルタ１０４、検波器１０５、表示制御部１０７、表示信号入力部１０８、検出結果送信部１１２の他に検出結果保存部１１３、検出結果要求受信部１１４を有して構成されている。
【００４８】
検出結果保存部１１３は検波器１０５により出力された検出結果を一時的に保存する回路素子である。検出結果送信部１１２と接続し、検出結果送信部１１２より検出結果を送信する前に検出結果を一時的に保存しておく。所定の場合に応じて保存された検出結果が読み出される。また、検出結果要求受信部１１４はＰＣ２より為される検出結果要求を受信する回路素子である。
【００４９】
ＰＣ２より検出結果要求を受信したときに、検出結果保存部１１３に保存されていた検出結果が読み出され、検出結果送信部１１２が検出結果を送信する。ＰＣ２のディスプレイカード２００がその検出結果を受信する動作、ディスプレイ１が表示信号を受信し、表示パネル１０１に表示する内容を制御する動作などは上述した内容と同様であるので、その説明を省略する。
【００５０】
一方、図８のディスプレイ１は先述した表示パネル１０１、アンテナ１０２、増幅器１０３、帯域通過フィルタ１０４、検波器１０５、表示制御部１０７、表示信号入力部１０８、擬基地局信号生成器１０９、スイッチ１１０、タイマー１１１、検出結果送信部１１２の他に図７で説明した検出結果要求受信部１１４を有して構成されている。このディスプレイ１では、検出結果要求受信部１１４が受信した検出結果要求を擬基地局信号生成器１０９に送信するように構成されている。
【００５１】
つまり、検出結果をＰＣ２に送信するにあたり、擬基地局信号は検出結果要求をＰＣ２より受信した後に生成される。そして、擬基地局信号をアンテナ１０２より携帯電話３に送出して検出結果を取得し、検出結果送信部１１２より検出結果がＰＣ２に送信される。タイマー１１１による制御も追加して良い。ＰＣ２のディスプレイカード２００がその検出結果を受信する動作、ディスプレイ１が表示信号を受信し、表示パネル１０１に表示する内容を制御する動作などは上述した内容と同様であるので、その説明を省略する。
【００５２】
図９のシーケンスチャートを参照してアプリケーションプログラムを利用したＯＳにより制御される表示動作に関する説明をする。
【００５３】
ＰＣ２において、ＯＳがアプリケーションプログラムより読み出される検出結果要求をディスプレイ１に送信する。ディスプレイ１の検出結果要求受信部１１４が検出結果要求を受信し、その要求に応じて検出結果を取得する。ディスプレイ１の検出結果送信部１１２より検出結果がＰＣ２に送信された後、ＯＳからの命令によりアプリケーションプログラムに対し対応要求を送信する。アプリケーションプログラムにおいて対応処理が実行された後、ＯＳに対し表示内容を変更する表示制御が送信される。その後、ＯＳの命令によりディスプレイ１に対し表示信号が出力され、表示パネル１０１に対応する内容が表示される。
【００５４】
当初説明した表示の制御は一律に行うものであったが、以上の処理を行うことにより、機密情報の漏洩防止に関して携帯端末の存在をＰＣ２に通知することが可能となり、より柔軟な表示の制御を行うことができる。アプリケーションプログラムとしては、例えば、機密情報表示ビューアプログラムといったものを開発し、ＰＣ２のＲＯＭに記録させることができる。
【００５５】
なお、検出結果要求をディスプレイ１に送信する処理は、ＰＣ２におけるＯＳによる制御に基づくものである。この制御において、検出結果の要求は、ＰＣ２の起動時、特定ユーザのログイン時、機密情報表示ビューアプログラムなどの特定プログラムの起動時、特定ファイル内容の表示時、タイマー１１１を利用した所定時、といったタイミングでおこなうと良い。
【００５６】
ディスプレイ１に表示された内容の制御は、ＰＣ２においてアプリケーションプログラムを利用したＯＳによる制御の代わりに、いわゆる「ポリシーベース・ドキュメントセキュリティシステム」を利用した制御も考えられる。このポリシーベース・ドキュメントセキュリティシステムでは所定のポリシーを設定したサーバを設け、アプリケーションプログラムにおいてそのポリシーによる許可を確認する処理がなされる。かかる制御に基づく処理、つまりサーバに設定されたポリシーに基づく処理が実行される形態を採り上げる。アプリケーションプログラムとしてはポリシーベース・ドキュメントセキュリティーシステムの文書表示アプリケーションが良い。そして、ＯＳと文書表示アプリケーションとの連携により表示動作の制御をする。なお、上記システムにおいて記述されるセキュリティーポリシーに関する技術内容は特開２００４−１０２９０７号公報、特開２００４−９４４０１号公報などに開示された周知のものである。
【００５７】
図１０はポリシーベース・ドキュメントセキュリティシステムを利用して制御される表示動作のシーケンスチャートである。ポリシーを設定したサーバはセキュリティサーバ５と表記する。
【００５８】
ＰＣ２のアプリケーションプログラムがセキュリティサーバ５に問い合わせて、文書の表示許可を確認する。セキュリティサーバ５は設定されたポリシーに従って、アプリケーションプログラムに許可条件を返信する。すると、アプリケーションプログラムはＯＳに対して検出結果要求を行う。そして、ＰＣ２において、ＯＳがアプリケーションプログラムより読み出される検出結果要求をディスプレイ１に送信する。その後の処理は図９を参照して説明した場合と同様であるので、その説明を省略する。
【００５９】
アプリケーションプログラムは機密情報を表示するように制御することもできるが、許可条件としては、例えば、「携帯電話が付近に存在しない情報表示装置で表示すること」といった条件を採り上げる。すると、アプリケーションプログラムはＯＳに対して携帯電話が付近に存在するか否かの結果を要求し、ディスプレイ１はＯＳを通じて取得した要求に応じて携帯電話に係る検出結果を返す。アプリケーションプログラムはその結果に応じてポリシーに従った表示制御を実行させる。
【００６０】
別の許可条件として、「携帯電話の検出が可能な情報表示装置で表示すること」といった条件でも良い。この条件ではディスプレイ１との情報の送受信が省略され、アプリケーションプログラムがＯＳに対し、接続されているディスプレイ１に本形態の受信手段が搭載されているか否かを問い合わせるだけで済む。もちろん、ディスプレイ１がその条件を返すように構成しても良い。
【００６１】
また、機密情報の漏洩を防止するための表示における許可条件としては、例えば、「機密情報の表示を停止する」、「アラートを表示し、ユーザの確認情報を入力した後に、再度携帯電話の検出を行う」などを採り上げ、当該許可条件を満たせばポリシーに従った対応処理が実行される。
【００６２】
上述のポリシーベース・ドキュメントセキュリティーシステムを利用すれば、セキュリティーポリシーとして、例えば、「機密情報を表示する場合には、指定したディスプレイ、指定した文書表示アプリケーションを利用する」、「携帯電話に代表される通信外部端末が周辺に存在しない場合にのみ機密情報を表示することができる」などを採り上げ機密情報の漏洩防止を図ることができる。
【００６３】
なお、全体として、上述した一連の形態は携帯電話のような通信外部端末を検出するために専用の機器を用意する必要も無い。そのため情報漏洩防止にかかわる管理コストを削減することもできる。
【００６４】
なお、上述した形態は本発明を実施するための最良のものであるがこれに限定する主旨ではない。従って、本発明の要旨を変更しない範囲において種々変形することが可能である。
【図面の簡単な説明】
【００６５】
【図１】本形態の全体図である。
【図２】ディスプレイ１の構成ブロック図である。
【図３】ディスプレイ１の他の構成ブロック図である。
【図４】他の形態のディスプレイ１の構成ブロック図である。
【図５】他の形態のディスプレイ１の他の構成ブロック図である。
【図６】ディスプレイカード２００の構成ブロック図である。
【図７】他の形態のディスプレイ１の構成ブロック図である。
【図８】他の形態のディスプレイ１の他の構成ブロック図である。
【図９】表示の制御機能を発揮する特定のアプリケーションプログラムを利用したＯＳにより制御される表示動作のシーケンスチャートである。
【図１０】ポリシーベース・ドキュメントセキュリティシステムを利用して制御される表示動作のシーケンスチャートである。
【符号の説明】
【００６６】
１    ディスプレイ
２    ＰＣ
３    携帯電話
４    ケーブル
５    セキュリティサーバ
１０１    表示パネル
１０２    アンテナ
１０３    増幅器
１０４    帯域通過フィルタ
１０５    検波器
１０６    スイッチ
１０７    表示制御部
１０８    表示信号入力部
１０９    擬基地局信号生成器
１１０    スイッチ
１１１    タイマー
１１２    検出結果送信部
１１３    検出結果保存部
１１４    検出結果要求受信部
２００    ディスプレイカード
２０１    検出結果受信部
２０２    スイッチ
２０３    表示情報入力部
２０４    フレームメモリ
２０５    表示信号制御部
２０６    アラート情報生成部
【図１】
2006171438.tif 000003
【図２】
2006171438.tif 000004
【図３】
2006171438.tif 000005
【図４】
2006171438.tif 000006
【図５】
2006171438.tif 000007
【図６】
2006171438.tif 000008
【図７】
2006171438.tif 000009
【図８】
2006171438.tif 000010
【図９】
2006171438.tif 000011
【図１０】
2006171438.tif 000012